(57)【要約】      （修正有）【課題】まる一日着用しても快適であり、ズボンがずり落ちることがなく、さらにファッション性を提供する伸張可能なウエストバンド付の体にぴったりした衣服に組み込まれうるバンドを提供する。【解決手段】第１の端部１４と第２の端部１６とを有する少なくとも１の接続部分１２と、前記少なくとも１の接続部分に取り付けられている少なくとも１の伸張帯１８とを有する指定物に適合するバンド１０であり、それを囲む物体によって活性される場合、自己調節伸張を提供する伸張帯を有する新規なバンドであり、衣服において、着用者は、妊婦した女性のような伸張した腹部を快適に収容するために伸張可能な寸法、上端部及びヒップ接着を提供する。【選択図】図１
2015200059.tif 000002
【特許請求の範囲】
【請求項１】
指定物に適合するバンドであって、
ａ．第１の端部及び第２の端部を有する少なくとも１の接続部分と、
ｂ．前記少なくとも１の接続部分に取り付けられている少なくとも１の伸張帯とを具えることを特徴とするバンド。
【発明の詳細な説明】
【技術分野】
【０００１】
本願は、米国特許法第１１９（ｅ)条の下、その全体が本書に組み込まれる２００９年６月１１日に提出された米国仮特許出願第６１／１８６，３４５号の優先権を主張するものである。
【０００２】
本発明は調節バンドに関する。
【背景技術】
【０００３】
現在市場に出回っている妊婦服は、それが伸びて、妊娠女性の成長する腹部範囲を育成するように、衣服に配置される弾性パネルによってフィットさせる。この弾性部分は限定されており、下腹部を圧迫したり、加圧したりするので、着用するには快適ではない。この部分を弾性ゴム以外で作ると、着用者にとって問題が多い。まず第１に、肌に弾性バンドが接触し、敏感な肌を刺激してしまうことである。第２に、任意の流行の外形を有するように弾性バンドを覆わなければならないことである。
【０００４】
弾性的な伸張パネルの別の否定的な特性は、それが着用者のへそ又はわずかに高い部分を覆うように着用されることである。この弾性ゴムは、膨らんだ腹部の上に伸ばされ、ウエストバンドがきつくなりすぎ、弾性的な包みが腹部を圧迫する。この弾性的な伸張パネルは、衣服の別の部分又はゆるくフィットするブラウス又は上衣で覆う必要がある。このように、仕事を持つ女性がテントのような外観とならないようにすることは困難である。
【０００５】
ウエストバンド上部の「締め付け（cinching)」は、今日主流の提供物の主たる戦略である。例として、引きひものパンツ又はウエストバンドの頂部の１インチのみが弾性の場合、及びいくつかのケースでは、着用者が伸張／収縮のための細工を着脱する必要がある。この「締め付け」技術は、体重が増えたり、その後に減ったりする場合に重大な欠点があり、それは単に人のウエスト計測だけではなく、この変動は一般に、ウエスト、ヒップ上部、ヒップ及びヒップ下部の部位に現れる。これらの他の締め付け方法は１乃至２インチ伸長させるものであるが、我々の発明は０乃至１０インチ伸長させるものである。「締め付け」の作用はウエストだけであり、したがって、我々の発明の「締め付け」の効果は市場に需要を残している。
【０００６】
腹部と背中の医療問題に関して、個人が着用するアパレル製品には空白が存在する。これらの医療シナリオは、現在の「Ｃ部分」の切り込み、ＩＶＦ注射治療、又は子宮内膜症の問題から、背中を損傷して締め付ける衣服を着用できない若いアスリートに及ぶ。これらの医療的な衣類の必要性に取り組む衣服用に現在提供されている物は十分ではない。現在提供されている物は、６５歳「以上の」グループにフォーカスされ、上述の「締め付け」に提供される物を反映し、かつ流行的展望から、もしあるならフィット感、機能性及び流行的展望からのオプションはわずかである。
【０００７】
今日にはまだ、まる一日着用しても快適であり、ズボンがずり落ちることがなく、さらにファッション性を提供する伸張可能なウエストバンド付の体にぴったりした衣服の必要性がある。妊娠前、妊娠中、及び妊娠後に１着のスーツ又はパンツを着用できれば便宜となる。以下の発明は、任意の衣料品に組み込まれうるこのようなウエストバンドを記載するものである。
【発明の概要】
【０００８】
第１の実施形態において、発明は第１の端部と第２の端部とを有する少なくとも１の接続部分と、前記少なくとも１の接続部分に取り付けられている少なくとも１の伸張帯とを有する指定物に適合するバンドを提供する。
【０００９】
別の実施形態において、発明は男性、女性及び子供用の衣類の衣服のウエストバンドとして用いるのに理想的に適合する衣料品を提供する。このウエストバンドは快適であり、控えめであり、本書において人の本来のウエスト、ウエスト、ヒップ上部、ヒップ及びヒップ下部の部位（「本来のウエスト」は身体のへそと水平の身体の正面及び背面の周囲と定義され、「ウエスト」はヒップの骨の上部と水平の身体の正面及び背面の周囲と定義され、ヒップ上部はウエスト計測より２インチ下であり、ヒップはウエスト計測より４インチ下であり、ヒップ下部はウエスト計測より６インチ下である）として特定される身体の骨盤部分全体（時に「中間部分」と言う）において、伸張してウエスト及び身体の形状に適合する能力を有する。発明は、（１）妊娠前、妊娠中、及び妊娠後に理想的フィットを提供できる妊婦服、（２）男性、女性及び子供の体重変動に便宜をはかることができる衣類、及び（３）及び中間部分、主として、腹部及び背中に医療的な問題を有する個人に適用されると大きな価値がある。すべての例において、ウエストバンドのデザインは、少なくとも１の接続部分と、この少なくとも１の接続部分に取り付けられている少なくとも１の伸張帯とを有する身体に適合するバンドにおいて、高水準の快適性、スタイル及び流行を提供する。
【図面の簡単な説明】
【００１０】
【図１】図１は、非活性／非伸張位置におけるＶ形状の伸張帯の正面部分図であり、
【図２】図２は、非活性／非伸張位置におけるＶ形状の伸張帯の正面部分図であり、
【図３】図３は、非活性／非伸張位置における複数のＶ形状の伸張帯を示す衣料品の側面図であり、
【図４】図４は、図３の衣料品の側面図であり、非活性／非伸張位置におけるＶ形状の伸張帯を示しており、
【図５】図５は、非活性／非伸張位置におけるＶ形状の伸張帯を示す衣料品の部分背面図である。
【発明を実施するための形態】
【００１１】
本書ではある用語が便宜のためだけに用いられており、本発明に関して限定ととられない。用語は明確に述べられた単語、その派生語及び同様の意味を持つ単語を含む。本書に述べられた実施形態は、網羅的であること、あるいは発明を開示された正しい形態に限定することを意図しない。これらの実施形態は発明の原理及びその適用及び活用をよく説明し、かつ当業者が発明をうまく利用できるように選択及び説明されている。
【００１２】
第１の実施形態において、図１及び図２を参照すると、発明は、第１の端部１４と第２の端部１６とを有する少なくとも１の接続部分１２と、前記少なくとも１の接続部分１２に取り付けられる少なくとも１の伸張帯１８とを有する指定物に適合するバンド１０を提供する。
【００１３】
伸張帯１８は、発明が定義された機能を可能とするのに不可欠であるＶ形状である。特に、この「Ｖ」は対称である必要があるが、数度異なってもよく、それでも有効である。伸張が必要ないとき、対称は（１）伸張帯内で弾性ゴムを見えなくし続け、（２）バンド自体に負の影響を与えることなく、バンドにおいて帯の左右に等しく伸張させることができるので、対称は本発明がなぜ正しく機能するかの鍵である。例えば、伸張帯が正方形である場合、伸張しない間は問題がないが、伸張する力が入る場合、この正方形の底部は衣服（又は他の接触材料）に縫い付ける必要があり、したがって、伸張不可能となり、かつ「衣服」にひだを付けたり、形を損なわせたりすることによりバンドを破壊してしまう。この伸張帯の「対称形」が、バンドに沿った協調的な動きを可能とするとともに、伸張帯の追加により、バンドの伸張量及び先端量の増加が可能となる。バンドに沿った伸張帯がどのような数であっても、伸張帯が本書に定義されるように配置されない限り、それらは互いに働かない。すべてが正面に配置された場合、腹部はさらに伸張するであろう。衣服の周りに等しく配置されると、身体全体の伸張に順応する。被服の背面のみの場合は、この帯は背面の伸張に順応する。
【００１４】
伸張帯１８は外側部分２０及び内側部分２２を有し、内側部分２２及び外側部分２０は異なる材料でできている。図２に最もよく示されているように、伸張帯１８が伸張又は活性位置にあるとき、外側部分２０は内側部分２２を露出する。内側部分２２は弾性材料又は弾性の性質を有する材料でできており、最も一般的にはナイロン／ポリエステル／スパンデックスであり、それが囲む伸張物に適合させる必要がある場合、適合するバンド１０を伸張させることができる。外側部分２０の材料は、最も一般的には少なくとも１の接続部分１２の材料と同じであるが、接続部分１２及び外側部分２０の材料は、耐久性又は流行に必要とされる場合、異なってもよい。
【００１５】
外側部分２０はＶ形状の境界側２４と、このＶ形状の境界側２４から伸張する一対の伸張部分２６とを有する。伸張部分２６は第２の側２８を有し、Ｖ形状の境界側２４は少なくとも１の接続部分１２に取り付けられている。一対の伸張側２８の第２の側は、図１に最もよく示されているように、非活性又は非伸張位置において、Ｖ形状の伸張帯１８の中央に延在し、Ｖ形状の伸張帯１８を実質的に二分する縫い目３０を規定している。さらに図１を参照すると、非活性位置において、内側部分２２は１対の伸張部分２６により「隠され」ているので見えない。この内側部分２２は、相補的であり、かつ少なくとも１の接続部分１２に取り付けられている伸張部分２６のＶ形状の境界側２４に取り付けられている（透視図で示されている）Ｖ形状の周縁３２を有する。しかしながら、製造を容易にするために、このＶ形状の周縁を接続部分１２内でさらなる材料と連続可能であることが当業者には理解できよう。この概念に不可欠なのは、Ｖ形状の周縁及びＶ形状の境界側が、定義された伸長帯１８を機能させうる少なくとも１の接続部分に縫い付けられていることである。これに関しては、内側部分２２の残りの周縁側３４は、外側部分２０の伸張部分２６に取り付けられていない。このように、外側部分２０の伸張部分２６は内側部分２２の動きを妨げない。このデザインは市場において現在の提供されている物に対し、「重ねられた」概念に基づきバンドの耐久性を増大させる。具体的には、現在の妊婦服の提供物は一般に、ウエストバンド全体を取り去り、かつ高さが約２インチ乃至１２インチでありうる連続する弾性バンドで置き換えるものであるが、これは大抵見た目が悪く、滑りを生じさせる。さらに、このような妊娠服の提供物は一般に、通常の着用の後に、弾性バンドと衣服の残りとの接続部がよく破れてしまう。本発明のデザインはこれらの問題を低減したり、無くしたりする。
【００１６】
Ｖ形状の伸長帯１８の最大幅及び最大高さには関連性があり、より具体的にはＶ形状の伸長帯１８の関連寸法は、適切に機能できるように認識されなければならない。この関連寸法は、（最大値での）高さと幅が約０パーセント乃至約５０パーセントの差を越えるべきではなく、最も効果的な差は約２５パーセントである。この差は、（最大値での）高さと幅がほぼ等しくなるまで縮めることができる。この範囲外の寸法は、実質的にＶ形状の伸長帯１８の機能に影響を与えるであろう。最も一般的なＶ形状の伸長帯１８の高さは、（本書の別の実施形態に述べられているように）それが用いられるとき、バンド寸法により決定されるであろう。さらに、底部のＶポイントが水平であり、かつウエストバンドと平行であるが、伸長帯が側方に配置される場合、この発明は機能しないことを当業者は理解するであろう。底部のＶポイントがバンドの上部にくるように伸長領域が配置されると、この発明は機能しないであろう。このＶが対称ではない場合、中心線の左右に等しい伸長が達成されるので、機能がかなり減じられ、このことはバンド周り全体の伸長には重要である。
【００１７】
内側部分２２の材料は多方向に動くことができるため、バンド１０を「伸長させる」いずれの物体にも適合させることができる。この性質は内側部分２２に必要とされる弾性材料によるものであるが、Ｖ形状の伸長帯１８のデザインやどのようにその要素が接続部分１２とともに取り付けられているかに基づく。
【００１８】
発明はさらなる実施形態に記載されており、ここでは同じ参照番号は同じ特徴を示すことを意味する。
【００１９】
別の実施形態において、図３、図４及び図５を参照すると、発明は少なくとも１の接続部分１１２に取り付けられる少なくとも１の伸長帯１１８を有する少なくとも１の接続部分１１２を有する身体に適合するバンド１１０を有する衣料品１００を提供する。この実施形態において、衣料品１００は一対のパンツであり、ここで適合するバンド１１０は身体のウエストラインに位置する。この発明が、シャツ、帽子、ブラウス、運動用衣服、リハビリ用及び他の医療用衣服を含むがこれらに限定されない様々な衣料品「又は製品」だけではなく、管状／筒状の襟、おむつ、トレーニングパンツ、ガードル、下着、犬の首輪、シャツの襟、芝生の工具、バルーン（医療用、玩具、又は娯楽用）、及び医療装置などを含むがこれらに限定されない衣服以外の様々な用途に適用されうることを当業者は理解するであろう。
【００２０】
前述の実施形態にあるように、少なくとも１の伸長帯１１８はＶ形状であり、かつ外側部分１２０と内側部分１２２とを有し、内側部分１２２と外側部分１２０とは異なる材料でできており、ここで内側部分１２２の材料は弾性ゴムである。
【００２１】
パンツ１００は正面側１０２Ａと背面側１０２Ｂとを有しており、ここで正面側及び背面側は、バンド１１０周りに配置される２つの複数の伸長帯１１８Ｘを有する。身体のウエストラインの伸長によるパンツ１０２の正面側１０２Ｂ上の伸長帯１１８Ｘの活性化により身体の背面側１０２Ｂに圧力がかかる。
【００２２】
伸張できることに加えて、この「Ｖ形状」が、例えば、ウエストバンドを「傾くよう」に展開可能とするため、伸張帯１１８Ｘの形は重要となる。この特徴は、パンツ１００のウエストバンドの上部が伸びるだけでなく、下腹部に適合させることも可能となる。これは、ウエストバンドの正面が約０度乃至約１８０度、最も一般的には、約０度乃至約９０度前方に傾けることを可能とすることにより達成される。本発明の図５によく示されているように、伸張帯の寸法及び位置は、パンツ１００のウエストバンドの伸張量を制御するだけでなく、ウエストバンドの上端部全体が、このウエストバンドを背面側にしっかりと固定して衣服がずり落ちるのを防ぐこともできる。適切な伸張と上端部にとって、本発明のウエストバンドは、少なくとも２の伸張帯を、例えば、（図示しない）パンツの正面側に有する。しかしながら、これらの伸張帯の約２乃至１６を含むことは発明の範囲内である。
【００２３】
上述のように、伸張帯の寸法はまた、伸張量及び「傾く」量を制御する。本発明は、事実上、任意の寸法の伸張帯を利用することができ、伸張帯は実質的に、（Ｖの底部からこの「Ｖ」の上部２つの腕の間のラインまで計測された）約１インチ乃至６インチの高さである。例として、衣類のパンツ（ＵＳサイズ４）において、未伸張時、伸張帯は幅１．５インチに対して、高さ１．５インチであり、かつヒップに関して、未伸張時、伸張帯は幅３インチに対して、高さ４インチである。さらなる例として、スカート（ＵＳサイズ４）において、ウエストバンドは高さ２インチであり、よって衣服の正面及び背面において、未伸張時、伸張帯は幅１．５インチに対して、高さ２インチである。
【００２４】
伸張帯の位置は伸張すべき傾く度合いを制御するであろう。例えば、すべての伸張帯がスラックスの側面近くに配置される場合、スラックスの正面及び背面に配置される場合よりもこの傾く角度は、完全な伸張時はるかに大きいであろう。したがって、図３及び図４に最もよく示されているように、背面ポケットから正面ポケットまで等しい間隔で、伸張帯がウエストバンド周りを均等に間隔をあけて配置されうるか、あるいは背面から正面に等しい間隔で、正面と背面に１つの伸張帯及び各側面に沿って３つの伸張帯（全部で７）を有するか、あるいは正面と背面に１つの伸張帯も有さず、各側面に沿って３つの伸張帯を有する。衣服の流行の概念の基本として、本発明におけるバンド、又はパンツのウエストバンドは、本発明のバンドを組み込む衣料品の着用をためらわせるような「たるみ」又は「見苦しい折り目」を生じさせない。
【００２５】
前述の実施形態にあるように、本発明の基本構造は同じであり、外側部分１２２はＶ形状の境界側１２４と、このＶ形状の境界側１２４から伸張している一対の伸張部分１２６とを有する。この伸張部分１２６は第２の側１２８を有しており、ここでＶ形状の境界側１２４は少なくとも１の接続部分１１２に取り付けられている。この一対の伸張部分の第２の側１２８は、Ｖ形状の伸張帯１１８を実質的に二分する縫い目１３０を規定するＶ形状の伸張帯１１８の中央に伸張する。内側部分１２２は、相補的であり、かつ少なくとも１の接続部分１１２に取り付けられている伸張部分１２６のＶ形状の境界側１２４に取り付けられている（見せかけで示されている）Ｖ形状の周縁１３２を有する。
【００２６】
発明の広い概念から逸脱することなく、変更がなされてもよいことが当業者に理解されるであろう。したがって、発明は記載された実施形態に限定されないが、添付のクレームにより規定される本発明の精神と範囲内での変更を含むことが意図される。
【図１】
2015200059.tif 000003
【図２】
2015200059.tif 000004
【図３】
2015200059.tif 000005
【図４】
2015200059.tif 000006
【図５】
2015200059.tif 000007
【手続補正書】
【提出日】平成27年7月30日(2015.7.30)
【手続補正１】
【補正対象書類名】特許請求の範囲
【補正対象項目名】全文
【補正方法】変更
【補正の内容】
【特許請求の範囲】
【請求項１】
装着者の身体に適合するバンドを有する衣料品であって、
ａ．共働するように整列した一対の接続部分と、
ｂ．前記接続部分の各々に取り付けられている伸張帯と、からなり、
前記伸長帯がＶ形状であり、当該伸長帯が異なる材料でできている外側部分と内側部分とからなり、前記伸長帯の外側部分が、Ｖ形状を形成するのに適した第１の境界側と第２の境界側からなるＶ形状の境界側であって、前記第１の境界側が前記一対の接続部分の第１端部に取り付けられていると共に前記第２の境界側が前記一対の接続部分の第２端部に取り付けられているＶ形状の境界側と、一対の伸長部分であって、各々が前記伸長帯の第３境界側を提供すると共に、第１側部と第２側部を有しており、前記各伸長部分の第１側部が前記Ｖ形状の境界側の第１の境界側と第２の境界側から伸長しており、前記一対の伸長部分の第２側部が前記Ｖ形状伸長帯の中央に伸長して前記Ｖ形状伸長帯を実質的に二分するシームを規定しており、前記Ｖ形状伸長帯を実質的に二分する前記シームが、前記伸長部分の第２側部と長さが同じであり、前記内側部分が、Ｖ形状を形成するのに適した第１の境界側と第２の境界側からなるＶ形状周辺部と、残余の周辺側部を有し、前記内側部分のＶ形状周辺部が前記一対の接続部分に取り付けられている前記外側部分の前記Ｖ形状境界側と相補的であると共に、これに取り付けられており、前記内側部分と前記外側部分が、前記一対の接続部分の前記第１端部及び第２端部において、前記外側部分の前記Ｖ形状境界側と前記内側部分の前記Ｖ形状周辺部とでのみ縫い付けられている、
ことを特徴とする衣料品。
【請求項２】
請求項１に記載の衣料品において、前記衣料品が、パンツであり、前記適合するバンドが、身体のウエストライン上に配置されることを特徴とする衣料品。
【請求項３】
請求項２に記載の衣料品において、前記内側部分の材料が弾性ゴムであることを特徴とする衣料品。
【請求項４】
請求項３に記載の衣料品において、前記パンツが、正面側及び背面側を有し、前記共働するように整列した一対の接続部分が前記パンツの正面側にあり、前記背面側に伸張帯を有さず、前記装着者の身体のウエストラインの拡張による前記パンツの正面側の伸張帯の作用が、前記身体の背面側に圧力をかけることを特徴とする衣料品。
【請求項５】
請求項３に記載の衣料品において、前記共働するように整列した一対の接続部分の前記伸長帯によって形成されたシームが、前記適合するバンドの端部から下側に伸長する前記パンツの二本の縦方向シームに整列していることを特徴とする衣料品。
【請求項６】
装着者の身体に適合するバンドを有する衣料品であって、
ａ．共働するように整列した二対の接続部分と、
ｂ．前記接続部分の各々に取り付けられている伸張帯と、からなり、
前記伸長帯がＶ形状であり、当該伸長帯が異なる材料でできている外側部分と内側部分とからなり、前記伸長帯の外側部分が、Ｖ形状を形成するのに適した第１の境界側と第２の境界側からなるＶ形状の境界側であって、前記第１の境界側が前記接続部分の第１端部に取り付けられていると共に前記第２の境界側が前記接続部分の第２端部に取り付けられているＶ形状の境界側と、一対の伸長部分であって、各々が前記伸長帯の第３境界側を提供すると共に、第１側部と第２側部を有しており、前記各伸長部分の第１側部が前記Ｖ形状の境界側の第１の境界側と第２の境界側から伸長しており、前記一対の伸長部分の第２側部が前記Ｖ形状伸長帯の中央に伸長して前記Ｖ形状伸長帯を実質的に二分するシームを規定しており、前記Ｖ形状伸長帯を実質的に二分する前記シームが、前記伸長部分の第２側部と長さが同じであり、前記内側部分が、Ｖ形状を形成するのに適した第１の境界側と第２の境界側からなるＶ形状周辺部と、残余の周辺側部を有し、前記内側部分のＶ形状周辺部が前記一対の接続部分に取り付けられている前記外側部分の前記Ｖ形状境界側と相補的であると共に、これに取り付けられており、前記内側部分と前記外側部分が、前記少なくとも一つの接続部分の前記第１端部及び第２端部において、前記外側部分の前記Ｖ形状境界側と前記内側部分の前記Ｖ形状周辺部とでのみ縫い付けられている、
ことを特徴とする衣料品。
【請求項７】
請求項６に記載の衣料品において、前記衣料品が、パンツであり、前記適合するバンドが、身体のウエストライン上に配置されることを特徴とする衣料品。
【請求項８】
請求項６に記載の衣料品において、前記内側部分の材料が弾性ゴムであることを特徴とする衣料品。
【請求項９】
請求項７に記載の衣料品において、前記パンツが、当該パンツの正面側に一対の接続部分と、前記パンツの背面側に一対の接続部分を有し、前記パンツの正面側の一対の接続部分の第１伸長帯が、前記パンツの背面側の一対の接続部分の第１伸長帯と整列して、作用時に共働することを特徴とする衣料品。